(57)【要約】本発明は、生の位置データを出力する少なくとも１つの受信器と、少なくとも１つの位置エンティティとを備えた移動ネットワークにおいて位置情報を転送し、好ましくは、そのネットワークにおいて１つ以上の移動ステーションの位置決めを支援する方法及びシステムを提案する。生のデータは、１つ以上のシグナリングプロトコル、例えば、ＬＬＰを使用して、上記受信器から上記位置エンティティへ転送される。位置エンティティは、受信した生の位置データを処理して、支援データを発生し、このデータは、移動ステーションへ転送される。本発明は、ネットワーク支援の移動ベースのＧＰＳ位置決め方法及びシステムに使用されて、移動ステーションの現在位置を検出するのが好ましい。
2004516479.tif 000002
【特許請求の範囲】
【請求項１】
生の位置データを出力する少なくとも１つの受信器と、少なくとも１つの位置エンティティとを備えた移動ネットワークにおいて位置情報を転送し、好ましくは、そのネットワークにおいて１つ以上の移動ステーションの位置決めを支援する方法であって、
１つ以上のシグナリングプロトコルを使用して上記受信器から上記位置エンティティへ生の位置データを転送するように構成された方法。
【請求項２】
上記位置情報は、ＧＰＳシステムから受信される請求項１に記載の方法。
【請求項３】
上記生の位置データは、ＧＰＳの生のデータである請求項１又は２に記載の方法。
【請求項４】
上記位置エンティティは、受信した生の位置データを処理して、支援データ、好ましくは、ＧＰＳ支援データを発生する請求項１ないし３のいずれかに記載の方法。
【請求項５】
上記位置エンティティは、支援データを移動ステーションへ転送する請求項４に記載の方法。
【請求項６】
上記位置エンティティは、ＳＭＬＣ（サービング移動位置センター）である請求項１ないし５のいずれかに記載の方法。
【請求項７】
上記移動ステーションは、移動電話、ポータブルコンピュータ又はユーザ装置（ＵＥ）である請求項１ないし６のいずれかに記載の方法。
【請求項８】
上記ネットワークは、セルラー通信ネットワークである請求項１ないし７のいずれかに記載の方法。
【請求項９】
上記シグナリングプロトコルは、通信ネットワークのシグナリングプロトコルである請求項１ないし８のいずれかに記載の方法。
【請求項１０】
上記シグナリングプロトコルは、コアネットワークに使用されるシグナリングプロトコルである請求項１ないし９のいずれかに記載の方法。
【請求項１１】
上記シグナリングプロトコルは、無線ネットワークに使用されるシグナリングプロトコルである請求項１ないし１０のいずれかに記載の方法。
【請求項１２】
上記シグナリングプロトコルは、位置サービスプロトコルである請求項１ないし１１のいずれかに記載の方法。
【請求項１３】
上記位置サービスプロトコルは、ＬＬＰプロトコル（ＬＭＵ  ＬＣＳプロトコル）である請求項１２に記載の方法。
【請求項１４】
上記位置エンティティは、１つ以上のシグナリングプロトコルを使用して生の位置データを別の位置エンティティに転送する請求項１ないし１３のいずれかに記載の方法。
【請求項１５】
上記位置エンティティにより生の位置データを別の位置エンティティへ転送するのに使用されるシグナリングプロトコルは、制御プロトコルである請求項１ないし１４のいずれかに記載の方法。
【請求項１６】
上記制御プロトコルは、ＳＭＬＣＰＰ（ＳＭＬＣピアプロトコル）である請求項１５に記載の方法。
【請求項１７】
移動ステーション（ＭＳ）の現在位置を検出できるようにするネットワーク支援移動ベースの位置決め方法、好ましくは、ＧＰＳ位置決め方法であって、請求項１ないし１６のいずれかに記載の方法を使用する方法。
【請求項１８】
移動ネットワークにおいて位置情報を転送し、好ましくは、そのネットワークにおいて１つ以上の移動ステーションの位置決めを支援するシステムであって、生の位置データを出力する少なくとも１つの受信器と、少なくとも１つの位置エンティティとを備えたシステムにおいて、
上記受信器は、１つ以上のシグナリングプロトコルを使用して生の位置データを上記位置エンティティへ転送するように構成されたシステム。
【請求項１９】
上記位置情報は、ＧＰＳシステムから受信される請求項１８に記載のシステム。
【請求項２０】
上記生の位置データは、ＧＰＳの生のデータである請求項１８又は１９に記載のシステム。
【請求項２１】
上記位置エンティティは、受信した生の位置データを処理して、支援データ、好ましくは、ＧＰＳ支援データを発生する請求項１８ないし２０のいずれかに記載のシステム。
【請求項２２】
上記位置エンティティは、支援データを移動ステーションへ転送する請求項２１に記載のシステム。
【請求項２３】
上記位置エンティティは、ＳＭＬＣ（サービング移動位置センター）である請求項１８ないし２２のいずれかに記載のシステム。
【請求項２４】
上記移動ステーションは、移動電話、ポータブルコンピュータ又はユーザ装置（ＵＥ）である請求項１８ないし２３のいずれかに記載のシステム。
【請求項２５】
上記ネットワークは、セルラー通信ネットワークである請求項１８ないし２４のいずれかに記載のシステム。
【請求項２６】
上記シグナリングプロトコルは、通信ネットワークのシグナリングプロトコルである請求項１８ないし２５のいずれかに記載のシステム。
【請求項２７】
上記シグナリングプロトコルは、コアネットワークに使用されるシグナリングプロトコルである請求項１８ないし２６のいずれかに記載のシステム。
【請求項２８】
上記シグナリングプロトコルは、無線ネットワークに使用されるシグナリングプロトコルである請求項１８ないし２７のいずれかに記載のシステム。
【請求項２９】
上記シグナリングプロトコルは、位置サービスプロトコルである請求項１８ないし２８のいずれかに記載のシステム。
【請求項３０】
上記位置サービスプロトコルは、ＬＬＰプロトコル（ＬＭＵ  ＬＣＳプロトコル）である請求項２９に記載のシステム。
【請求項３１】
上記位置エンティティは、１つ以上のシグナリングプロトコルを使用して生の位置データを別の位置エンティティに転送する請求項１８ないし３０のいずれかに記載のシステム。
【請求項３２】
上記位置エンティティにより生の位置データを別の位置エンティティへ転送するのに使用されるシグナリングプロトコルは、制御プロトコルである請求項１８ないし３１のいずれかに記載のシステム。
【請求項３３】
上記制御プロトコルは、ＳＭＬＣＰＰ（ＳＭＬＣピアプロトコル）である請求項３２に記載のシステム。
【請求項３４】
請求項１８ないし３３のいずれかに記載のシステムをネットワーク支援移動ベースの位置決めシステム、好ましくは、ＧＰＳ位置決めシステムに使用して、移動ステーション（ＭＳ）の現在位置を検出できるようにする使用法。
【発明の詳細な説明】
【０００１】
【技術分野及び背景技術】
本発明は、一般に、セルラー通信ネットワークのようなネットワークにおいて移動ステーションを位置決めすることに係る。ここで使用する「移動ステーション」という語は、移動電話、ポータブルコンピュータ、ユーザ装置（ＵＥ）等の全ての形式の移動装置を包含するものとする。
より詳細には、本発明は、移動ステーション（ＭＳ）の現在位置を検出できるようにするネットワーク支援移動ベースのＧＰＳ位置決め方法及びシステムに係るが、これに限定されない。このような位置決め方法を実行するためには、ネットワークからのＧＰＳ支援データが必要である。これらのＧＰＳ支援データは、通常、ベースステーションからＭＳへ例えば位置測定要求において直接送信される。
【０００２】
しかしながら、例えば、ＳＭＬＣ（サービング移動位置決めセンター）がＭＳ（移動ステーション）に対するＧＰＳ支援データを発生するように適応されねばならないときには、ＳＬＭＣは、ＧＰＳ支援データを発生するために生のＧＰＳ衛星データを必要とする。発生されたＧＰＳ支援データをＳＭＬＣからＭＳへと転送することは、ＭＳへの標準化された情報送信に基づき、例えば、このＧＳＰ支援データを位置測定要求に含ませることにより実施できる。しかしながら、ＳＭＬＣにより生のＧＰＳ衛星データを獲得することに関して問題が生じる。
【０００３】
【発明の開示】
本発明は、独立請求項又はいずれかの従属請求項に記載の方法及び／又はシステムを提供する。
本発明は、一般に、テレコミュニケーションネットワークにおいて生の位置データ、例えば、ＧＰＳデータ（即ちサブフレーム）を転送する方法及びシステムを提供する。
又、本発明は、ＳＭＬＣがＳＲＮＣ（サービング無線ネットワークコントローラ）に一体化された３Ｇ（第３世代）ネットワーク及びＩＰ−ＲＡＮ（インターネットプロトコルベースの無線アクセスネットワーク）のような他の形式のネットワークにも適用でき且つそれらも包含することが意図される。
【０００４】
本発明の好ましい実施形態によれば、通信ネットワークの１つ以上のシグナリングプロトコル、例えば、ＬＬＰを使用して、生の位置データ、好ましくは、ＧＰＳ衛星データ（サブフレーム）をソース（例えば、ＢＳ又はＬＭＵ）からＳＭＬＣへ転送し、これらＳＭＬＣがこのデータを使用して、例えば、ＭＳのためのＧＰＳ支援データを発生する。通信ネットワークは、例えば、コアネットワーク及び無線ネットワークより成る。使用するシグナリングプロトコルは、ＬＬＰプロトコル（ＬＭＵ  ＬＣＳプロトコル）のような位置サービスプロトコルであるのが好ましい。
【０００５】
好ましくは、１つ以上の専用の基準受信器、例えば、ＧＰＳ受信器が、既知の位置（例えば、ＢＴＳサイトのＬＭＵ（位置測定ユニット）に設けられ、これらが、生の位置データ、例えば、ＧＰＳサブフレームを、既存の通信ネットワーク（例えば、Ａｂｉｓ）を経て１つ以上のＳＭＬＣへ送信する。ＳＭＬＣは、例えば、ＢＴＳ（ベーストランシーバステーション）及び／又はある基準エリアに指定される。基準受信器は、この特定の基準エリアの生のデータソースである。
それ故、ＳＭＬＣは、それ自身のＧＰＳ受信器や基準ＧＰＳ受信器を装備する必要がない。
【０００６】
ＳＭＬＣは、通信ネットワークにおいて獲得された生のＧＰＳ衛星データを、基準ＧＰＳ受信器への直接的な接続をもたない他のＳＭＬＣへ（例えば、コアネットワークを経て）送信することができる。ＳＭＬＣは、テレコミュニケーションネットワークの１つ以上のシグナリングプロトコルを使用してこの生のＧＰＳ衛星データを他のＳＭＬＣへ送信することができる。位置エンティティにより生の位置データを別の位置エンティティへ転送するために使用されるシグナリングプロトコルは、制御プロトコル、例えば、ＳＭＬＣＰＰ（ＳＭＬＣピアプロトコル）である。
【０００７】
【発明を実施するための最良の形態】
図１は、本発明の実施形態を示すもので、基準ＧＰＳネットワークを示している。又、図１は、複数の基準ＧＰＳエリア（２）を示し（３つの基準ＧＰＳエリア１、２、３が示され）、これらのエリアには、複数の衛星（１）からＧＰＳ信号（生のデータ）が供給される。各基準ＧＰＳエリア（２）は、少なくとも１つのＢＴＳ（ベーストランシーバステーション）（３）を備えている。
【０００８】
各基準ＧＰＳエリアは、点線で示されたように少なくとも４つの衛星（１）からの信号を受信する１つ（以上）の専用の基準ＧＰＳ受信器を備えている。このＧＰＳ受信器は、この基準ＧＰＳエリアのＢＴＳ（３）のサイトにおいて既知の位置、好ましくは、ＬＭＵ（位置測定ユニット）に配置される。この基準ＧＰＳ受信器は、この特定の基準ＧＰＳエリアのＧＰＳ生データソースであり、そしてこのＧＰＳ生データ（例えば、サブフレーム）を、ＧＰＳ受信器と同じ基準ＧＰＳエリアに指定された１つ以上のＳＭＬＣへ送信する。その指定のＳＭＬＣ（４）に含まれるか又はそれと協働する記憶及び／又は処理手段（５）は、受信したＧＰＳ生データを記憶し及び／又は処理して、例えば、ＥＴＳＩのような各規格で規定されたネットワーク支援ＧＰＳサポートを許す支援ＧＰＳのためのＧＰＳ支援データを発生する。生のＧＰＳ衛星データからＧＰＳ支援データを発生する方法は、それ自体公知であり、例えば、ベースステーション（ＢＳ）又はＬＭＵ（位置測定ユニット）等の場合と同様に又は同じやり方でＳＭＬＣ（４）に使用することができる。
【０００９】
ＧＰＳサブフレーム（生のデータ）は、基準ＧＰＳ受信器から既存のテレコミュニケーションネットワーク又はバックボーン（例えば、Ａｂｉｓ）を経てＳＭＬＣ（４）へ送信される。一点鎖線は、基準ＧＰＳ受信器からＳＭＬＣ（４）へのＧＰＳ生データ転送を表わす。
各ＢＴＳ（３）は、基準ＧＰＳエリア及びセルを相互接続するＢＴＳ（３）、ＳＭＬＣ（４）及びＭＳＣ（移動交換センター）（７）のようなネットワークエンティティ間の通信を取り扱うために少なくとも１つのＢＳＣ（ベースステーションコントローラ）に指定される。図１に示すように、基準ＧＰＳエリア１は、２つのＢＳＣ（６）を備えているが、他の基準ＧＰＳエリアは、１つのＢＳＣ（６）しか含まない。
【００１０】
異なるエリア又はセルのＳＭＬＣ（４）が、例えば、ＧＰＳ生データ又は支援データを転送するために互いに通信しようとするときには、ＭＳＣ（７）を経て接続が確立される。破線は、ＳＭＬＣ（４）間のＧＰＳ生データの転送を表わしている。
図１において、インターフェイス（プロトコル）は、２Ｇ（第２世代）型ネットワークの場合と同様に名前が付けられるが、本発明は、他の形式のネットワーク（例えば、３Ｇ及び全ＩＰ）も包含するものとする。これら全てのプロトコルは、生のＧＰＳデータを転送するのに使用できる。本発明のこの実施形態の１つの好ましい特徴によれば、ＧＰＳ基準データは、ＬＭＵ（３）から既存の標準化されたインターフェイスを経てＳＭＬＣ（４）へ搬送される。図１に示す例としては、ＬＬＰプロトコルは、ＬＭＵからＳＬＭＣ（４）へＧＰＳ基準データ（又はＧＰＳ生データ）を搬送するのに使用できる（ＬＬＰは、「ＬＭＵ  ＬＣＳプロトコル」を意味し、そしてＬＣＳは、「位置サービス」を意味する）。
【００１１】
例えば、ＭＳＣ（７）を経てＳＭＬＣ（４）間で通信するには、ＳＭＬＣＰＰ（ＳＭＬＣピアプロトコル）を使用するのが好ましい。
従って、この実施形態の基本的な特徴は、通信ネットワークのシグナリングプロトコルを使用して、生のＧＰＳ衛星データ（サブフレーム）を、ソース（例えば、ベースステーション又はＳＭＬＣ（４））からＳＭＬＣ（４）へ転送し、これらＳＭＬＣがそのデータを使用して、ＭＳ（移動ステーション）のためのＧＰＳ支援データを発生することである。
【００１２】
別の実施形態では、ＳＭＬＣ（４）とＭＳＣ（７）との間のインターフェイスは、例えば、Ｌｓインターフェイスである。このＬｓインターフェイスにおけるシグナリングは、例えば、ＢＳＳＡＰ−ＬＥを使用する。ＢＳＣ（６）とＳＭＬＣ（４）との間のインターフェイスは、Ｌｂインターフェイスである。このインターフェイスにおけるシグナリングも、ＢＳＳＡＰ−ＬＥを使用する。ピアＳＭＬＣ（４）間のインターフェイスは、例えば、Ｌｐインターフェイスである。ＮＳＳ及びＢＳＳベースの両ＳＭＬＣ（４）は、別のＳＭＬＣ（４）が所有する情報及びリソースにＬｐインターフェイスがアクセスできるようにサポートする。このインターフェイスにおけるシグナリングも、同様にＢＳＳＡＰＰ−ＬＥ又はＳＭＬＣＰＰを使用する。
【００１３】
ＧＰＳ受信器は、１００ないし３００ｋｍ以内の半径で設置されるのが好ましい。ベースステーション（ＢＳ）は、固定座標を有するので、ＧＰＳ受信器は、例えば、ＢＳサイトのＬＭＵ（位置測定ユニット）に配置されるのが好ましい。従って、ＢＳは、既存のインターフェイス（例えば、Ａｂｉｓ、Ｌｕｂ）を経てＧＰＳサブフレームをＳＭＬＣ（４）へ送信することができる。
例えば、各衛星からのＧＰＳ生データは、サブフレーム（各々３００ビット）であり、そして衛星からのＧＰＳ生データの送信レートは、５０ビット／秒である。１２個の衛星の生データに対して必要とされる転送レートは、６００ビット／秒（７５バイト／秒）である。計算及びシミュレーションによれば、これらのデータ及びデータレートは、本発明の教示を使用して問題なく転送できることが示されている。これらのデータは、例えば、Ｑ１インターフェイスを経て転送することができる。
【００１４】
図２は、図１に示すような本発明の実施形態における方法ステップ及びデータ流を示す。衛星（１）は、例えば、基準ＧＰＳエリア（２）のベースステーション即ちＢＴＳ（３）に設置された基準ＧＰＳ受信器（１０）へＧＰＳ生データを送信する。ＧＰＳ受信器（１０）は、このＧＰＳ生データを、未処理又は最終的に前処理された形態で、通信ネットワークのシグナリングプロトコルを経てＳＭＬＣ（４）へ転送する。受信器（１０）からＳＭＬＣ（４）へ送信されるデータは、差動ＧＰＳ（ＤＧＰＳ）システムを形成するためにＧＰＳ基準受信器により検出された位置検出エラーを修正又は指示するためのエラー修正（又は指示）データを更に含んでもよい。
【００１５】
ＳＭＬＣ（４）は、受信したＧＰＳ生データから支援ＧＰＳデータを導出するためのデータ処理ステップ１２を実行する。この支援ＧＰＳデータは、次いで、１つ以上のＢＴＳ（３）を含む通信ネットワークにアタッチされた１つ以上の移動ステーション（１１）へ送信される。
更に、図２に示すように、ＳＭＬＣ（４）は、通信ネットワークの適当なシグナリングプロトコルを使用してＧＰＳ生データ（及び／又は支援ＧＰＳデータ）を別のＳＭＬＣ（４）へ送信することができる。
【００１６】
本発明は、例えば、異なる世代（例えば、２Ｇ、３Ｇ又は全ＩＰ）の異なる製品においてネットワーク支援ＭＳベースのＧＰＳ位置決めに使用することができる。
本発明の好ましい実施形態に基づいて既存のセルラーシグナリングバックボーンを使用することは、ＧＰＳデータを供給するための容易で信頼性の高いそして経済的な解決策である。技術的に、この考え方は、例えば、ＲＩＴ（無線インターフェイスタイミング）情報交換と同様のＳＭＬＣＰＰプロトコルを使用し又は拡張することにより実施できる。
以上、特定の実施形態について本発明を説明したが、本発明の範囲内で種々の変更、修正、省略がなされ得ることを理解されたい。
【図面の簡単な説明】
【図１】
本発明による実施形態を２Ｇに関して示す図である。
【図２】
本発明による実施形態の信号の流れ及び方法ステップを示す図である。
【図１】
2004516479.tif 000003
【図２】
2004516479.tif 000004
【国際公開パンフレット】
2004516479.tif 000005
2004516479.tif 000006
2004516479.tif 000007
2004516479.tif 000008
2004516479.tif 000009
2004516479.tif 000010
2004516479.tif 000011
2004516479.tif 000012
2004516479.tif 000013
2004516479.tif 000014
2004516479.tif 000015
2004516479.tif 000016
2004516479.tif 000017
2004516479.tif 000018
2004516479.tif 000019
【手続補正書】
【提出日】平成15年1月29日(2003.1.29)
【手続補正１】
【補正対象書類名】明細書
【補正対象項目名】特許請求の範囲
【補正方法】変更
【補正の内容】
【特許請求の範囲】
【請求項１】
生の位置データを出力する既知の位置に配置された少なくとも１つの専用基準受信器と、少なくとも１つの位置エンティティとを備えた移動ネットワークにおいて位置情報を転送し、好ましくは、そのネットワークにおいて１つ以上の移動ステーションの位置決めを支援する方法であって、
１つ以上のシグナリングプロトコルを使用して上記受信器から上記位置エンティティへ生の位置データを転送するようにした方法。
【請求項２】
上記位置情報は、ＧＰＳシステムから受信される請求項１に記載の方法。
【請求項３】
上記生の位置データは、ＧＰＳの生のデータである請求項１又は２に記載の方法。
【請求項４】
上記位置エンティティは、受信した生の位置データを処理して、支援データ、好ましくは、ＧＰＳ支援データを発生する請求項１ないし３のいずれかに記載の方法。
【請求項５】
上記位置エンティティは、支援データを移動ステーションへ転送する請求項４に記載の方法。
【請求項６】
上記位置エンティティは、ＳＭＬＣ（サービング移動位置センター）である請求項１ないし５のいずれかに記載の方法。
【請求項７】
上記移動ステーションは、移動電話、ポータブルコンピュータ又はユーザ装置（ＵＥ）である請求項１ないし６のいずれかに記載の方法。
【請求項８】
上記ネットワークは、セルラー通信ネットワークである請求項１ないし７のいずれかに記載の方法。
【請求項９】
上記シグナリングプロトコルは、通信ネットワークのシグナリングプロトコルである請求項１ないし８のいずれかに記載の方法。
【請求項１０】
上記シグナリングプロトコルは、コアネットワークに使用されるシグナリングプロトコルである請求項１ないし９のいずれかに記載の方法。
【請求項１１】
上記シグナリングプロトコルは、無線ネットワークに使用されるシグナリングプロトコルである請求項１ないし１０のいずれかに記載の方法。
【請求項１２】
上記シグナリングプロトコルは、位置サービスプロトコルである請求項１ないし１１のいずれかに記載の方法。
【請求項１３】
上記位置サービスプロトコルは、ＬＬＰプロトコル（ＬＭＵ  ＬＣＳプロトコル）である請求項１２に記載の方法。
【請求項１４】
上記位置エンティティは、１つ以上のシグナリングプロトコルを使用して生の位置データを別の位置エンティティに転送する請求項１ないし１３のいずれかに記載の方法。
【請求項１５】
上記位置エンティティにより生の位置データを別の位置エンティティへ転送するのに使用されるシグナリングプロトコルは、制御プロトコルである請求項１ないし１４のいずれかに記載の方法。
【請求項１６】
上記制御プロトコルは、ＳＭＬＣＰＰ（ＳＭＬＣピアプロトコル）である請求項１５に記載の方法。
【請求項１７】
上記受信器は、位置測定ユニット（ＬＭＵ）に配置される請求項１ないし１６のいずれかに記載の方法。
【請求項１８】
移動ステーション（ＭＳ）の現在位置を検出できるようにするネットワーク支援移動ベースの位置決め方法、好ましくは、ＧＰＳ位置決め方法であって、請求項１ないし１７のいずれかに記載の方法を使用する方法。
【請求項１９】
移動ネットワークにおいて位置情報を転送し、好ましくは、そのネットワークにおいて１つ以上の移動ステーションの位置決めを支援するシステムであって、生の位置データを出力する既知の位置に配置された少なくとも１つの専用基準受信器と、少なくとも１つの位置エンティティとを備えたシステムにおいて、
上記受信器は、１つ以上のシグナリングプロトコルを使用して生の位置データを上記位置エンティティへ転送するように構成されたシステム。
【請求項２０】
上記位置情報は、ＧＰＳシステムから受信される請求項１９に記載のシステム。
【請求項２１】
上記生の位置データは、ＧＰＳの生のデータである請求項１９又は２０に記載のシステム。
【請求項２２】
上記位置エンティティは、受信した生の位置データを処理して、支援データ、好ましくは、ＧＰＳ支援データを発生する請求項１９ないし２１のいずれかに記載のシステム。
【請求項２３】
上記位置エンティティは、支援データを移動ステーションへ転送する請求項２２に記載のシステム。
【請求項２４】
上記位置エンティティは、ＳＭＬＣ（サービング移動位置センター）である請求項１９ないし２３のいずれかに記載のシステム。
【請求項２５】
上記移動ステーションは、移動電話、ポータブルコンピュータ又はユーザ装置（ＵＥ）である請求項１９ないし２４のいずれかに記載のシステム。
【請求項２６】
上記ネットワークは、セルラー通信ネットワークである請求項１９ないし２５のいずれかに記載のシステム。
【請求項２７】
上記シグナリングプロトコルは、通信ネットワークのシグナリングプロトコルである請求項１９ないし２６のいずれかに記載のシステム。
【請求項２８】
上記シグナリングプロトコルは、コアネットワークに使用されるシグナリングプロトコルである請求項１９ないし２７のいずれかに記載のシステム。
【請求項２９】
上記シグナリングプロトコルは、無線ネットワークに使用されるシグナリングプロトコルである請求項１９ないし２８のいずれかに記載のシステム。
【請求項３０】
上記シグナリングプロトコルは、位置サービスプロトコルである請求項１９ないし２９のいずれかに記載のシステム。
【請求項３１】
上記位置サービスプロトコルは、ＬＬＰプロトコル（ＬＭＵ  ＬＣＳプロトコル）である請求項３０に記載のシステム。
【請求項３２】
上記位置エンティティは、１つ以上のシグナリングプロトコルを使用して生の位置データを別の位置エンティティに転送する請求項１９ないし３１のいずれかに記載のシステム。
【請求項３３】
上記位置エンティティにより生の位置データを別の位置エンティティへ転送するのに使用されるシグナリングプロトコルは、制御プロトコルである請求項１９ないし３２のいずれかに記載のシステム。
【請求項３４】
上記制御プロトコルは、ＳＭＬＣＰＰ（ＳＭＬＣピアプロトコル）である請求項３３に記載のシステム。
【請求項３５】
上記受信器は、位置測定ユニット（ＬＭＵ）に配置される請求項１９ないし３４のいずれかに記載のシステム。
【請求項３６】
請求項１９ないし３５のいずれかに記載のシステムをネットワーク支援移動ベースの位置決めシステム、好ましくは、ＧＰＳ位置決めシステムに使用して、移動ステーション（ＭＳ）の現在位置を検出できるようにする使用法。
【国際調査報告】
2004516479.tif 000020
2004516479.tif 000021
2004516479.tif 000022